(57)【要約】【課題】重畳表示による視認性の低下を抑制することが可能な遠隔操作技術を提供する。【解決手段】画像形成装置は、その操作用画像として携帯端末５０にて表示すべき画像を特定するとともに、携帯端末５０における表示部の個数を取得する。また、画像形成装置は、複数の画像が操作用画像として特定され且つ携帯端末５０の表示部の個数が２以上である場合、携帯端末５０の２以上の表示部のうちの少なくとも２つの表示部に複数の画像のうち少なくとも２つの画像を個別に表示すべき旨の第１の決定を行い、当該第１の決定に基づく表示指令を携帯端末５０に送信する。携帯端末５０は、当該表示指令に基づき、携帯端末５０の少なくとも２つの表示部（７５，７７）に少なくとも２つの操作用画像（３２０，３４０）を個別に表示する。【選択図】図５
2016158104.tif 000002
【特許請求の範囲】
【請求項１】
携帯端末による遠隔操作が可能な画像形成装置であって、
前記画像形成装置の操作用画像として前記携帯端末にて表示すべき画像を特定する特定手段と、
前記携帯端末における表示部の個数を取得する取得手段と、
複数の画像が前記操作用画像として特定され、且つ、前記携帯端末の表示部の個数が２以上であると認識される場合、前記携帯端末の２以上の表示部のうちの少なくとも２つの表示部に前記複数の画像のうち少なくとも２つの画像を個別に表示すべき旨の第１の決定を行う決定手段と、
前記第１の決定に基づく表示指令を前記携帯端末に送信する送信手段と、
を備えることを特徴とする画像形成装置。
【請求項２】
請求項１に記載の画像形成装置において、
前記表示指令は、前記少なくとも２つの画像のうち比較的大きな第１の画像を前記少なくとも２つの表示部のうち比較的大きな第１の表示部に表示すべきであり、且つ、前記少なくとも２つの画像のうち比較的小さな第２の画像を前記少なくとも２つの表示部のうち比較的小さな第２の表示部に表示すべきである旨、を規定することを特徴とする画像形成装置。
【請求項３】
請求項２に記載の画像形成装置において、
前記第１の画像は、前記画像形成装置の操作部にて表示される操作画面に対応する画像であり、
前記第２の画像は、前記画像形成装置の操作部に設けられた複数のハードウエアキーにそれぞれ対応する複数のハードウエアキー画像を含む画像であることを特徴とする画像形成装置。
【請求項４】
請求項３に記載の画像形成装置において、
前記第２の画像は、前記複数のハードウエアキー画像を所定方向に配列して生成される画像であることを特徴とする画像形成装置。
【請求項５】
請求項２に記載の画像形成装置において、
前記第１の画像は、前記画像形成装置の操作部にて表示される表示画面に対応する画像であり、
前記第２の画像は、前記画像形成装置の操作部にて前記表示画面に重畳して表示されるポップアップ画面に関する画像であることを特徴とする画像形成装置。
【請求項６】
請求項５に記載の画像形成装置において、
前記第２の画像は、前記ポップアップ画面に含まれる複数の項目要素を所定方向に配列して生成される画像であることを特徴とする画像形成装置。
【請求項７】
請求項２ないし請求項６のいずれかに記載の画像形成装置において、
前記携帯端末とのネットワーク通信速度に基づき、前記第２の画像を前記画像形成装置が準備すべきか前記携帯端末が準備すべきかを判定する判定手段、
をさらに備え、
前記判定手段は、
前記ネットワーク通信速度が所定レベルよりも大きい場合には、前記第２の画像を前記画像形成装置が準備すべき旨を判定し、
前記ネットワーク通信速度が前記所定レベルよりも小さい場合には、前記第２の画像を前記携帯端末が準備すべき旨を判定し、
することを特徴とする画像形成装置。
【請求項８】
請求項７に記載の画像形成装置において、
前記送信手段は、
前記第２の画像を前記画像形成装置が準備すべき旨が判定される場合には、前記画像形成装置にて準備された前記少なくとも２つの画像を前記携帯端末に送信し、
前記第２の画像を前記携帯端末が準備すべき旨が判定される場合には、前記第１の画像と、前記第２の画像を前記携帯端末にて生成するための生成用情報とを、前記携帯端末に送信することを特徴とする画像形成装置。
【請求項９】
請求項１ないし請求項５のいずれかに記載の画像形成装置において、
前記送信手段は、前記少なくとも２つの画像のうちの第１の画像と、前記少なくとも２つの画像のうちの第２の画像を前記携帯端末にて生成するための生成用情報とを前記携帯端末に送信することを特徴とする画像形成装置。
【請求項１０】
請求項１ないし請求項５のいずれかに記載の画像形成装置において、
前記送信手段は、前記画像形成装置にて準備された前記少なくとも２つの画像を前記携帯端末に送信することを特徴とする画像形成装置。
【請求項１１】
請求項１ないし請求項５のいずれかに記載の画像形成装置において、
前記送信手段は、前記少なくとも２つの画像のうちの第１の画像と、前記少なくとも２つの画像のうちの第２の画像を前記携帯端末にて生成するための生成用情報とを前記携帯端末に送信することを特徴とする画像形成装置。
【請求項１２】
請求項１ないし請求項１１のいずれかに記載の画像形成装置において、
前記決定手段は、前記少なくとも２つの画像を含む複数の画像が前記操作用画像として特定され、且つ、前記携帯端末の表示部の個数が１個であると認識される場合、前記少なくとも２つの画像に関する合成画像を前記携帯端末の単一の表示部に表示すべき旨の第２の決定を行い、
前記送信手段は、前記第２の決定に基づく表示指令を前記携帯端末に送信することを特徴とする画像形成装置。
【請求項１３】
画像形成装置を遠隔操作することが可能な携帯端末に内蔵されたコンピュータに、
ａ）前記携帯端末の複数の表示部のうちの少なくとも２つの表示部に前記画像形成装置の操作用画像として少なくとも２つの画像を個別に表示すべき旨を含む表示指令を受信するステップと、
ｂ）前記表示指令に基づき、前記画像形成装置の操作用画像として、前記複数の表示部のうちの少なくとも２つの表示部に前記少なくとも２つの画像を個別に表示するステップと、
を実行させるためのプログラム。
【請求項１４】
請求項１３に記載のプログラムにおいて、
ｃ）前記携帯端末と前記画像形成装置との間のネットワーク通信速度に基づき、前記少なくとも２つの画像のうちの一の画像を前記画像形成装置が準備すべきか前記携帯端末が準備すべきかを判定するステップと、
ｄ）前記一の画像を前記携帯端末が準備すべき旨が判定される場合、前記一の画像を生成するステップと、
を前記コンピュータにさらに実行させるためのプログラム。
【請求項１５】
請求項１４に記載のプログラムにおいて、
前記ステップｃ）においては、
前記ネットワーク通信速度が所定レベルよりも大きい場合には、前記一の画像を前記画像形成装置が準備すべき旨が判定され、
前記ネットワーク通信速度が前記所定レベルよりも小さい場合には、前記一の画像を前記携帯端末が準備すべき旨が判定されることを特徴とするプログラム。
【請求項１６】
請求項１４または請求項１５に記載のプログラムにおいて、
前記ステップｄ）は、
ｄ−１）前記一の画像を前記携帯端末が準備すべき旨が判定される場合、前記一の画像を生成するための生成用情報の送信依頼を前記画像形成装置に送信するステップと、
ｄ−２）前記生成用情報を前記画像形成装置から受信するステップと、
ｄ−３）前記生成用情報に含まれる複数の項目要素を所定方向に配列した画像を、前記一の画像として生成するステップと、
を有することを特徴とするプログラム。
【請求項１７】
画像形成システムであって、
画像形成装置と、
前記画像形成装置を遠隔操作することが可能な携帯端末と、
を備え、
前記画像形成装置は、
前記画像形成装置の操作用画像として前記携帯端末にて表示すべき画像を特定する特定手段と、
前記携帯端末における表示部の個数を取得する取得手段と、
複数の画像が前記操作用画像として特定され、且つ、前記携帯端末の表示部の個数が２以上であると認識される場合、前記携帯端末の２以上の表示部のうちの少なくとも２つの表示部に前記複数の画像のうち少なくとも２つの画像を個別に表示すべき旨の第１の決定を行う決定手段と、
前記第１の決定に基づく表示指令を前記携帯端末に送信する送信手段と、
を有し、
前記携帯端末は、
前記表示指令を前記画像形成装置から受信する通信手段と、
前記表示指令に基づき、前記携帯端末の前記少なくとも２つの表示部に前記少なくとも２つの画像を個別に表示する表示制御手段と、
を有することを特徴とする画像形成システム。
【請求項１８】
画像形成システムであって、
画像形成装置と、
前記画像形成装置を遠隔操作することが可能な携帯端末と、
を備え、
前記画像形成装置は、
前記画像形成装置の操作用画像として前記携帯端末にて表示すべき画像を特定する特定手段と、
複数の画像が前記操作用画像として特定された場合、前記操作用画像として前記携帯端末にて表示すべき表示対象画像の個数が複数である旨を前記携帯端末に送信する送信手段と、
を有し、
前記携帯端末は、
前記表示対象画像の個数が複数である旨を前記画像形成装置から受信する通信手段と、
前記表示対象画像の個数が複数である旨が受信され且つ前記携帯端末の表示部の個数が２以上である場合、前記携帯端末の２以上の表示部のうちの少なくとも２つの表示部に前記複数の画像のうち少なくとも２つの画像を個別に表示すべき旨の第１の決定を行う決定手段と、
前記第１の決定に基づいて前記複数の画像を表示する表示制御手段と、
を有することを特徴とする画像形成システム。
【請求項１９】
画像形成装置を遠隔操作することが可能な携帯端末に内蔵されたコンピュータに、
ａ）前記画像形成装置の操作用画像として前記携帯端末にて表示すべき表示対象画像の個数が複数である旨を前記画像形成装置から受信するステップと、
ｂ）前記表示対象画像の個数が複数である旨が受信され且つ前記携帯端末の表示部の個数が２以上である場合、前記携帯端末の２以上の表示部のうちの少なくとも２つの表示部に前記複数の画像のうち少なくとも２つの画像を個別に表示すべき旨の第１の決定を行うステップと、
ｃ）前記第１の決定に基づいて前記複数の画像を表示するステップと、
を実行させるためのプログラム。
【請求項２０】
請求項１９に記載のプログラムにおいて、
ｄ）前記画像形成装置とのネットワーク通信速度に基づき、前記少なくとも２つの画像のうちの一の画像を前記画像形成装置が準備すべきか前記携帯端末が準備すべきかを判定するステップと、
ｅ）前記一の画像を前記携帯端末が準備すべき旨が判定される場合、前記一の画像を生成するステップと、
を前記コンピュータにさらに実行させるためのプログラム。
【請求項２１】
請求項２０に記載のプログラムにおいて、
前記ステップｄ）においては、
前記ネットワーク通信速度が所定レベルよりも大きい場合には、前記一の画像を前記画像形成装置が準備すべき旨が判定され、
前記ネットワーク通信速度が前記所定レベルよりも小さい場合には、前記一の画像を前記携帯端末が準備すべき旨が判定されることを特徴とするプログラム。
【請求項２２】
請求項２０または請求項２１に記載のプログラムにおいて、
前記ステップｅ）は、
ｅ−１）前記一の画像を前記携帯端末が準備すべき旨が判定される場合、前記一の画像を生成するための生成用情報の送信依頼を前記画像形成装置に送信するステップと、
ｅ−２）前記生成用情報を前記画像形成装置から受信するステップと、
ｅ−３）前記生成用情報に含まれる複数の項目要素を所定方向に配列した画像を、前記一の画像として生成するステップと、
を有することを特徴とするプログラム。
【請求項２３】
請求項２２に記載のプログラムにおいて、
前記少なくとも２つの画像のうちの他の画像は、前記画像形成装置の操作部にて表示される表示画面に対応する画像であり、
前記一の画像は、前記画像形成装置の操作部にて前記表示画面に重畳して表示されるポップアップ画面に関する画像であり、
前記ステップｅ−３）においては、前記ポップアップ画面に関する複数の項目要素に関する部品画像を前記所定方向に配列した画像が、前記一の画像として生成されることを特徴とするプログラム。
【請求項２４】
請求項２２に記載のプログラムにおいて、
前記少なくとも２つの画像のうちの他の画像は、前記画像形成装置の操作部にて表示される操作画面に対応する画像であり、
前記一の画像は、前記画像形成装置の操作部の複数のハードウエアキーにそれぞれ対応する複数のハードウエアキー画像を含む画像であり、
前記ステップｅ−３）においては、前記複数のハードウエアキー画像を前記所定方向に配列した画像が、前記一の画像として生成されることを特徴とするプログラム。
【請求項２５】
携帯端末による遠隔操作が可能な画像形成装置であって、
前記画像形成装置の操作用画像として前記携帯端末にて表示すべき画像を特定する特定手段と、
複数の画像が前記操作用画像として特定された場合、前記携帯端末の複数の表示部のうちの少なくとも２つの表示部に前記操作用画像のうち少なくとも２つの画像を個別に表示すべきか否かに関する決定を前記携帯端末に行わせるために、前記操作用画像として前記携帯端末にて表示すべき表示対象画像の個数が複数である旨を前記携帯端末に送信する送信手段と、
を備えることを特徴とする画像形成装置。
【請求項２６】
請求項２５に記載の画像形成装置において、
前記携帯端末とのネットワーク通信速度に基づき、前記少なくとも２つの画像のうちの一の画像を前記画像形成装置が準備すべきか前記携帯端末が準備すべきかを判定する判定手段、
をさらに備え、
前記判定手段は、
前記ネットワーク通信速度が所定レベルよりも大きい場合には、前記一の画像を前記画像形成装置が準備すべき旨を判定し、
前記ネットワーク通信速度が前記所定レベルよりも小さい場合には、前記一の画像を前記携帯端末が準備すべき旨を判定し、
前記送信手段は、
前記一の画像を前記画像形成装置が準備すべき旨が判定される場合には、前記画像形成装置にて準備された前記一の画像を前記携帯端末に送信し、
前記一の画像を前記携帯端末が準備すべき旨が判定される場合には、前記一の画像を前記携帯端末にて生成するための生成用情報と前記少なくとも２つの画像のうちの他の画像とを、前記携帯端末に送信することを特徴とする画像形成装置。
【発明の詳細な説明】
【技術分野】
【０００１】
本発明は、画像形成システムおよびそれに関連する技術に関する。
【背景技術】
【０００２】
画像形成装置（ＭＦＰ（マルチ・ファンクション・ペリフェラル（Multi-Functional Peripheral））等）を携帯端末を用いて遠隔操作するシステム（画像形成システムあるいは遠隔操作システムとも称する）が存在する。このようなシステムにおいては、携帯端末の表示部に遠隔操作用の画面が表示され、当該遠隔操作用画面を用いて操作対象装置が遠隔操作される。
【０００３】
また、多くの画像形成装置においては、その操作パネル内にタッチパネルが設けられており、当該タッチパネル内のソフトウエアキーを用いてユーザによる操作入力が行われる。また、画像形成装置においては、タッチパネル以外に、ハードウエアキーが更に設けられることもある。
【０００４】
画像形成装置に関する遠隔操作においては、画像形成装置のタッチパネル内のソフトウエアキーに関する遠隔操作のみならず、ＭＦＰに設けられたハードウエアキーに関する遠隔操作をも行うことが可能であることが好ましい。
【０００５】
特許文献１には、ＭＦＰのタッチパネル内のソフトウエアキー画像に関する遠隔操作を行うことが可能であるとともに、ＭＦＰに設けられたハードウエアキーに関する遠隔操作をも行うことが可能な技術が記載されている。具体的には、携帯端末のディスプレイにおいて、ＭＦＰのハードウエアキーに対応するハードウエアキー画像が、ＭＦＰの操作画面を示す画像（操作用画像）に対して重畳されて表示される技術が記載されている。
【先行技術文献】
【特許文献】
【０００６】
【特許文献１】特開２０１４−１０７８００号公報
【発明の概要】
【発明が解決しようとする課題】
【０００７】
しかしながら、特許文献１に記載の技術では、携帯端末の１つのディスプレイ内において、ソフトウエアキー画像を有する操作用画像に対して、ハードウエアキー画像が重畳されて表示される。そのため、ハードウエアキー画像の下側に配置されているボタン（操作用画像内のソフトウエアキー画像）等（当該ボタンの近傍の各種表示を含む）が見難くなるなどの問題が生じる。
【０００８】
そこで、本発明は、重畳表示による視認性の低下を抑制することが可能な遠隔操作技術を提供することを課題とする。
【課題を解決するための手段】
【０００９】
上記課題を解決すべく、請求項１の発明は、携帯端末による遠隔操作が可能な画像形成装置であって、前記画像形成装置の操作用画像として前記携帯端末にて表示すべき画像を特定する特定手段と、前記携帯端末における表示部の個数を取得する取得手段と、複数の画像が前記操作用画像として特定され、且つ、前記携帯端末の表示部の個数が２以上であると認識される場合、前記携帯端末の２以上の表示部のうちの少なくとも２つの表示部に前記複数の画像のうち少なくとも２つの画像を個別に表示すべき旨の第１の決定を行う決定手段と、前記第１の決定に基づく表示指令を前記携帯端末に送信する送信手段と、を備えることを特徴とする。
【００１０】
請求項２の発明は、請求項１の発明に係る画像形成装置において、前記表示指令は、前記少なくとも２つの画像のうち比較的大きな第１の画像を前記少なくとも２つの表示部のうち比較的大きな第１の表示部に表示すべきであり、且つ、前記少なくとも２つの画像のうち比較的小さな第２の画像を前記少なくとも２つの表示部のうち比較的小さな第２の表示部に表示すべきである旨、を規定することを特徴とする。
【００１１】
請求項３の発明は、請求項２の発明に係る画像形成装置において、前記第１の画像は、前記画像形成装置の操作部にて表示される操作画面に対応する画像であり、前記第２の画像は、前記画像形成装置の操作部に設けられた複数のハードウエアキーにそれぞれ対応する複数のハードウエアキー画像を含む画像であることを特徴とする。
【００１２】
請求項４の発明は、請求項３の発明に係る画像形成装置において、前記第２の画像は、前記複数のハードウエアキー画像を所定方向に配列して生成される画像であることを特徴とする。
【００１３】
請求項５の発明は、請求項２の発明に係る画像形成装置において、前記第１の画像は、前記画像形成装置の操作部にて表示される表示画面に対応する画像であり、前記第２の画像は、前記画像形成装置の操作部にて前記表示画面に重畳して表示されるポップアップ画面に関する画像であることを特徴とする。
【００１４】
請求項６の発明は、請求項５の発明に係る画像形成装置において、前記第２の画像は、前記ポップアップ画面に含まれる複数の項目要素を所定方向に配列して生成される画像であることを特徴とする。
【００１５】
請求項７の発明は、請求項２ないし請求項６のいずれかの発明に係る画像形成装置において、前記携帯端末とのネットワーク通信速度に基づき、前記第２の画像を前記画像形成装置が準備すべきか前記携帯端末が準備すべきかを判定する判定手段、をさらに備え、前記判定手段は、前記ネットワーク通信速度が所定レベルよりも大きい場合には、前記第２の画像を前記画像形成装置が準備すべき旨を判定し、前記ネットワーク通信速度が前記所定レベルよりも小さい場合には、前記第２の画像を前記携帯端末が準備すべき旨を判定し、することを特徴とする。
【００１６】
請求項８の発明は、請求項７の発明に係る画像形成装置において、前記送信手段は、前記第２の画像を前記画像形成装置が準備すべき旨が判定される場合には、前記画像形成装置にて準備された前記少なくとも２つの画像を前記携帯端末に送信し、前記第２の画像を前記携帯端末が準備すべき旨が判定される場合には、前記第１の画像と、前記第２の画像を前記携帯端末にて生成するための生成用情報とを、前記携帯端末に送信することを特徴とする。
【００１７】
請求項９の発明は、請求項１ないし請求項５のいずれかの発明に係る画像形成装置において、前記送信手段は、前記少なくとも２つの画像のうちの第１の画像と、前記少なくとも２つの画像のうちの第２の画像を前記携帯端末にて生成するための生成用情報とを前記携帯端末に送信することを特徴とする。
【００１８】
請求項１０の発明は、請求項１ないし請求項５のいずれかの発明に係る画像形成装置において、前記送信手段は、前記画像形成装置にて準備された前記少なくとも２つの画像を前記携帯端末に送信することを特徴とする。
【００１９】
請求項１１の発明は、請求項１ないし請求項５のいずれかの発明に係る画像形成装置において、前記送信手段は、前記少なくとも２つの画像のうちの第１の画像と、前記少なくとも２つの画像のうちの第２の画像を前記携帯端末にて生成するための生成用情報とを前記携帯端末に送信することを特徴とする。
【００２０】
請求項１２の発明は、請求項１ないし請求項１１のいずれかの発明に係る画像形成装置において、前記決定手段は、前記少なくとも２つの画像を含む複数の画像が前記操作用画像として特定され、且つ、前記携帯端末の表示部の個数が１個であると認識される場合、前記少なくとも２つの画像に関する合成画像を前記携帯端末の単一の表示部に表示すべき旨の第２の決定を行い、前記送信手段は、前記第２の決定に基づく表示指令を前記携帯端末に送信することを特徴とする。
【００２１】
請求項１３の発明は、画像形成装置を遠隔操作することが可能な携帯端末に内蔵されたコンピュータに、ａ）前記携帯端末の複数の表示部のうちの少なくとも２つの表示部に前記画像形成装置の操作用画像として少なくとも２つの画像を個別に表示すべき旨を含む表示指令を受信するステップと、ｂ）前記表示指令に基づき、前記画像形成装置の操作用画像として、前記複数の表示部のうちの少なくとも２つの表示部に前記少なくとも２つの画像を個別に表示するステップと、を実行させるためのプログラムであることを特徴とする。
【００２２】
請求項１４の発明は、請求項１３の発明に係るプログラムにおいて、ｃ）前記携帯端末と前記画像形成装置との間のネットワーク通信速度に基づき、前記少なくとも２つの画像のうちの一の画像を前記画像形成装置が準備すべきか前記携帯端末が準備すべきかを判定するステップと、ｄ）前記一の画像を前記携帯端末が準備すべき旨が判定される場合、前記一の画像を生成するステップと、を前記コンピュータにさらに実行させるためのプログラムであることを特徴とする。
【００２３】
請求項１５の発明は、請求項１４の発明に係るプログラムにおいて、前記ステップｃ）においては、前記ネットワーク通信速度が所定レベルよりも大きい場合には、前記一の画像を前記画像形成装置が準備すべき旨が判定され、前記ネットワーク通信速度が前記所定レベルよりも小さい場合には、前記一の画像を前記携帯端末が準備すべき旨が判定されることを特徴とする。
【００２４】
請求項１６の発明は、請求項１４または請求項１５の発明に係るプログラムにおいて、前記ステップｄ）は、ｄ−１）前記一の画像を前記携帯端末が準備すべき旨が判定される場合、前記一の画像を生成するための生成用情報の送信依頼を前記画像形成装置に送信するステップと、ｄ−２）前記生成用情報を前記画像形成装置から受信するステップと、ｄ−３）前記生成用情報に含まれる複数の項目要素を所定方向に配列した画像を、前記一の画像として生成するステップと、を有することを特徴とする。
【００２５】
請求項１７の発明は、画像形成システムであって、画像形成装置と、前記画像形成装置を遠隔操作することが可能な携帯端末と、を備え、前記画像形成装置は、前記画像形成装置の操作用画像として前記携帯端末にて表示すべき画像を特定する特定手段と、前記携帯端末における表示部の個数を取得する取得手段と、複数の画像が前記操作用画像として特定され、且つ、前記携帯端末の表示部の個数が２以上であると認識される場合、前記携帯端末の２以上の表示部のうちの少なくとも２つの表示部に前記複数の画像のうち少なくとも２つの画像を個別に表示すべき旨の第１の決定を行う決定手段と、前記第１の決定に基づく表示指令を前記携帯端末に送信する送信手段と、を有し、前記携帯端末は、前記表示指令を前記画像形成装置から受信する通信手段と、前記表示指令に基づき、前記携帯端末の前記少なくとも２つの表示部に前記少なくとも２つの画像を個別に表示する表示制御手段と、を有することを特徴とする。
【００２６】
請求項１８の発明は、画像形成システムであって、画像形成装置と、前記画像形成装置を遠隔操作することが可能な携帯端末と、を備え、前記画像形成装置は、前記画像形成装置の操作用画像として前記携帯端末にて表示すべき画像を特定する特定手段と、複数の画像が前記操作用画像として特定された場合、前記操作用画像として前記携帯端末にて表示すべき表示対象画像の個数が複数である旨を前記携帯端末に送信する送信手段と、を有し、前記携帯端末は、前記表示対象画像の個数が複数である旨を前記画像形成装置から受信する通信手段と、前記表示対象画像の個数が複数である旨が受信され且つ前記携帯端末の表示部の個数が２以上である場合、前記携帯端末の２以上の表示部のうちの少なくとも２つの表示部に前記複数の画像のうち少なくとも２つの画像を個別に表示すべき旨の第１の決定を行う決定手段と、前記第１の決定に基づいて前記複数の画像を表示する表示制御手段と、を有することを特徴とする。
【００２７】
請求項１９の発明は、画像形成装置を遠隔操作することが可能な携帯端末に内蔵されたコンピュータに、ａ）前記画像形成装置の操作用画像として前記携帯端末にて表示すべき表示対象画像の個数が複数である旨を前記画像形成装置から受信するステップと、ｂ）前記表示対象画像の個数が複数である旨が受信され且つ前記携帯端末の表示部の個数が２以上である場合、前記携帯端末の２以上の表示部のうちの少なくとも２つの表示部に前記複数の画像のうち少なくとも２つの画像を個別に表示すべき旨の第１の決定を行うステップと、ｃ）前記第１の決定に基づいて前記複数の画像を表示するステップと、を実行させるためのプログラムであることを特徴とする。
【００２８】
請求項２０の発明は、請求項１９の発明に係るプログラムにおいて、ｄ）前記画像形成装置とのネットワーク通信速度に基づき、前記少なくとも２つの画像のうちの一の画像を前記画像形成装置が準備すべきか前記携帯端末が準備すべきかを判定するステップと、ｅ）前記一の画像を前記携帯端末が準備すべき旨が判定される場合、前記一の画像を生成するステップと、を前記コンピュータにさらに実行させることを特徴とする。
【００２９】
請求項２１の発明は、請求項２０の発明に係るプログラムにおいて、前記ステップｄ）においては、前記ネットワーク通信速度が所定レベルよりも大きい場合には、前記一の画像を前記画像形成装置が準備すべき旨が判定され、前記ネットワーク通信速度が前記所定レベルよりも小さい場合には、前記一の画像を前記携帯端末が準備すべき旨が判定されることを特徴とする。
【００３０】
請求項２２の発明は、請求項２０または請求項２１の発明に係るプログラムにおいて、前記ステップｅ）は、ｅ−１）前記一の画像を前記携帯端末が準備すべき旨が判定される場合、前記一の画像を生成するための生成用情報の送信依頼を前記画像形成装置に送信するステップと、ｅ−２）前記生成用情報を前記画像形成装置から受信するステップと、ｅ−３）前記生成用情報に含まれる複数の項目要素を所定方向に配列した画像を、前記一の画像として生成するステップと、を有することを特徴とする。
【００３１】
請求項２３の発明は、請求項２２の発明に係るプログラムにおいて、前記少なくとも２つの画像のうちの他の画像は、前記画像形成装置の操作部にて表示される表示画面に対応する画像であり、前記一の画像は、前記画像形成装置の操作部にて前記表示画面に重畳して表示されるポップアップ画面に関する画像であり、前記ステップｅ−３）においては、前記ポップアップ画面に関する複数の項目要素に関する部品画像を前記所定方向に配列した画像が、前記一の画像として生成されることを特徴とする。
【００３２】
請求項２４の発明は、請求項２２の発明に係るプログラムにおいて、前記少なくとも２つの画像のうちの他の画像は、前記画像形成装置の操作部にて表示される操作画面に対応する画像であり、前記一の画像は、前記画像形成装置の操作部の複数のハードウエアキーにそれぞれ対応する複数のハードウエアキー画像を含む画像であり、前記ステップｅ−３）においては、前記複数のハードウエアキー画像を前記所定方向に配列した画像が、前記一の画像として生成されることを特徴とする。
【００３３】
請求項２５の発明は、携帯端末による遠隔操作が可能な画像形成装置であって、前記画像形成装置の操作用画像として前記携帯端末にて表示すべき画像を特定する特定手段と、複数の画像が前記操作用画像として特定された場合、前記携帯端末の複数の表示部のうちの少なくとも２つの表示部に前記操作用画像のうち少なくとも２つの画像を個別に表示すべきか否かに関する決定を前記携帯端末に行わせるために、前記操作用画像として前記携帯端末にて表示すべき表示対象画像の個数が複数である旨を前記携帯端末に送信する送信手段と、を備えることを特徴とする。
【００３４】
請求項２６の発明は、請求項２５の発明に係る画像形成装置において、前記携帯端末とのネットワーク通信速度に基づき、前記少なくとも２つの画像のうちの一の画像を前記画像形成装置が準備すべきか前記携帯端末が準備すべきかを判定する判定手段、をさらに備え、前記判定手段は、前記ネットワーク通信速度が所定レベルよりも大きい場合には、前記一の画像を前記画像形成装置が準備すべき旨を判定し、前記ネットワーク通信速度が前記所定レベルよりも小さい場合には、前記一の画像を前記携帯端末が準備すべき旨を判定し、前記送信手段は、前記一の画像を前記画像形成装置が準備すべき旨が判定される場合には、前記画像形成装置にて準備された前記一の画像を前記携帯端末に送信し、前記一の画像を前記携帯端末が準備すべき旨が判定される場合には、前記一の画像を前記携帯端末にて生成するための生成用情報と前記少なくとも２つの画像のうちの他の画像とを、前記携帯端末に送信することを特徴とする。
【発明の効果】
【００３５】
請求項１ないし請求項２６に記載の発明によれば、重畳表示による視認性の低下を抑制することが可能である。
【図面の簡単な説明】
【００３６】
【図１】第１実施形態に係る画像形成システムを示す図である。
【図２】画像形成装置の機能ブロックを示す図である。
【図３】携帯端末の概略構成を示す機能ブロックを示す図である。
【図４】画像形成装置に表示される操作用画像の一例を示す図である。
【図５】複数の表示部を有する携帯端末の正面図である。
【図６】携帯端末の側面図である。
【図７】単一の表示部を有する携帯端末を示す図である。
【図８】２つの操作用画像が合成される様子を示す概念図である。
【図９】画像形成装置の動作を示すフローチャートである。
【図１０】携帯端末の動作を示すフローチャートである。
【図１１】画像形成システムにおける動作例を示すタイミングチャートである。
【図１２】第２実施形態に係る画像形成装置の動作を示すフローチャートである。
【図１３】第２実施形態に係る携帯端末の動作を示すフローチャートである。
【図１４】第２実施形態に係る画像形成システムの一の動作例を示すタイミングチャートである。
【図１５】他の動作例を示すタイミングチャートである。
【図１６】第２実施形態に係る画像形成装置の機能ブロックを示す図である。
【図１７】第２実施形態に係る携帯端末の機能ブロックを示す図である。
【図１８】第２の画像の生成用情報を示す図である。
【図１９】第２の画像が生成される様子を示す概念図である。
【図２０】第３実施形態に係るＭＦＰの動作を示すフローチャートである。
【図２１】第３実施形態に係る携帯端末の動作を示すフローチャートである。
【図２２】第３実施形態に係る画像形成システム１の一の動作例を示すタイミングチャートである。
【図２３】他の動作例を示すタイミングチャートである。
【図２４】第３実施形態に係る携帯端末の機能ブロックを示す図である。
【図２５】変形例に係る画像形成装置の表示画面を示す図である。
【図２６】携帯端末の単一の表示部に合成画像が表示される様子を示す図である。
【図２７】携帯端末の２つの表示部に２つの操作用画像が個別に表示される様子を示す図である。
【図２８】第２の画像の生成用情報を示す図である。
【図２９】第２の画像が生成される様子を示す概念図である。
【発明を実施するための形態】
【００３７】
以下、本発明の実施形態を図面に基づいて説明する。
【００３８】
＜１．第１実施形態＞
＜１−１．構成概要＞
図１は、第１実施形態に係る画像形成システム１を示す図である。図１に示すように、画像形成システム１は、画像形成装置１０と携帯端末５０とを備える。
【００３９】
画像形成装置１０と携帯端末５０とは、ネットワーク１０８を介して互いに接続される。ネットワーク１０８は、ＬＡＮ（Local Area Network）およびインターネットなどによって構成される。また、ネットワーク１０８に対する接続態様は、有線接続であってもよく、或いは無線接続であってもよい。たとえば、画像形成装置１０はネットワーク１０８に対して有線接続され、携帯端末５０はネットワーク１０８に対して無線接続される。
【００４０】
画像形成システム１においては、画像形成装置１０に対する各種の操作を携帯端末５０を用いて行うことが可能である。すなわち、携帯端末５０は、画像形成装置１０を遠隔操作することが可能である。なお、この画像形成システム１は、画像形成装置１０の遠隔操作を行う遠隔操作システムなどとも表現される。
【００４１】
＜１−２．画像形成装置１０の構成＞
図２は、画像形成装置１０の機能ブロックを示す図である。ここでは、画像形成装置１０として、ＭＦＰ（マルチ・ファンクション・ペリフェラル（Multi-Functional Peripheral））を例示する。図２においては、ＭＦＰ１０の機能ブロックが示されている。
【００４２】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００４３】
画像読取部２は、ＭＦＰ１０の所定の位置に載置された原稿を光学的に読み取って（すなわちスキャンして）、当該原稿の画像データ（原稿画像なしいスキャン画像とも称する）を生成する処理部である。この画像読取部２は、スキャン部であるとも称される。
【００４４】
印刷出力部３は、印刷対象に関するデータに基づいて紙などの各種の媒体に画像を印刷出力する出力部である。
【００４５】
通信部４は、公衆回線等を介したファクシミリ通信を行うことが可能な処理部である。さらに、通信部４は、ネットワーク１０８を介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（たとえば、携帯端末５０）との間で各種のデータを授受することが可能である。
【００４６】
通信部４は、各種データを送信する送信部４ａと各種データを受信する受信部４ｂとを有する。通信部４は、各種データを送信する送信部４ａと各種データを受信する受信部４ｂとを有する。
【００４７】
格納部５は、ハードディスクドライブ（ＨＤＤ）等の記憶装置で構成される。格納部５は、印刷ジョブに係るデータ等を記憶する。
【００４８】
操作部（ユーザインターフェイス部とも称する）６は、ＭＦＰ１０に対する入力を受け付ける操作入力部６ａと、各種情報の表示出力を行う表示部６ｂとを備えている。次述するように、この操作部６は、タッチパネル２５、およびハードウエアキー２１０（２０１〜２０７，２１１〜２１５）等を備えている。
【００４９】
このＭＦＰ１０においては、操作部６として略板状の操作パネル部６ｃ（図１参照）が設けられている。
【００５０】
操作パネル部６ｃは、その正面側にタッチパネル２５（図１参照）を有している。タッチパネル２５は、液晶表示パネルに圧電センサ等が埋め込まれて構成され、各種情報を表示するとともに操作者からの操作入力を受け付けることが可能である。たとえば、タッチパネル２５においては、メニュー画像（ボタン画像等を含む）が表示される。操作者は、タッチパネル２５内に仮想的に配置されるボタン（ボタン画像で表現されるボタン）を押下することによって、画像形成装置１０の各種動作内容を設定することなどが可能である。タッチパネル２５は、操作入力部６ａとしても機能するとともに、表示部６ｂとしても機能する。
【００５１】
さらに、操作パネル部６ｃには、複数のハードウエアキー２１０（２０１〜２０７，２１１〜２１５）が設けられている。たとえば、図４に示すように、電源キー（副電源キー）２０１、スタートキー２０５、ストップキー２０６、およびリセットキー２０７、メニューキー２１１、ガイドキー２１２、ＩＤキー２１３、割込キー２１４およびプレビューキー２１５等の複数のハードウエアキー２１０が設けられている。これらのハードウエアキー２１０は、タッチパネル２５とは別に設けられた操作入力部（操作者からの操作入力を受け付ける操作入力部）であるとも表現される。
【００５２】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介してＭＦＰ１０にインストールされてもよく、あるいはネットワーク１０８等を介してＭＦＰ１０にインストールされてもよい。
【００５３】
具体的には、図２に示すように、コントローラ９は、当該プログラムの実行により、通信制御部１１と入力制御部１２と表示制御部１３と取得部１４と特定部１５と決定部１６と画像準備部１８とを含む各種の処理部を実現する。
【００５４】
通信制御部１１は、他の装置（携帯端末５０等）との間の通信動作を制御する処理部である。たとえば、携帯端末５０に表示された遠隔操作用画像に対する操作者からの操作入力に関する情報である操作入力情報を携帯端末５０から受信する。
【００５５】
入力制御部１２は、操作入力部６ａ（タッチパネル２５等）に対する操作入力動作を制御する制御部である。たとえば、入力制御部１２は、タッチパネル２５に表示された操作画面に対する操作入力を受け付ける動作を制御する。
【００５６】
表示制御部１３は、表示部６ｂ（タッチパネル２５等）における表示動作を制御する処理部である。
【００５７】
取得部１４は、携帯端末５０における表示部の個数を取得する処理部である。取得部１４は、たとえば、携帯端末５０と通信して当該携帯端末５０の表示部の個数を取得する。
【００５８】
特定部１５は、画像形成装置１０の操作用画像（遠隔操作用画像）として携帯端末５０にて表示すべき画像を特定する処理部である。
【００５９】
決定部１６は、携帯端末５０の表示部において操作用画像をどのように表示すべきかを決定する処理部である。たとえば、決定部１６は、携帯端末５０の異なる２つの表示部に２つの画像を個別に表示すべき旨の決定を行う。
【００６０】
画像準備部１８は、遠隔操作用画像として表示すべき画像を準備する処理部である。
【００６１】
＜１−３．携帯端末５０の構成＞
次に携帯端末（遠隔操作装置とも称する）５０の構成について説明する。
【００６２】
携帯端末５０は、他の装置との間でのネットワーク通信が可能な情報入出力端末装置である。ここでは、携帯端末５０として、タブレット型端末を例示する。ただし、これに限定されず、携帯端末５０は、スマートフォンであってもよく、パーソナルコンピュータなどであってもよい。
【００６３】
図３は、携帯端末５０の概略構成を示す機能ブロック図である。
【００６４】
携帯端末５０は、図３の機能ブロック図に示すように、通信部５４、格納部５５、操作部５６およびコントローラ５９等を備えており、これらの各部を複合的に動作させることによって、各種の機能を実現する。
【００６５】
通信部５４は、ネットワーク１０８を介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、携帯端末５０は、所望の相手先（画像形成装置１０等）との間で各種のデータを授受することが可能である。通信部５４は、各種データを送信する送信部５４ａと各種データを受信する受信部５４ｂとを有する。
【００６６】
格納部５５は、不揮発性の半導体メモリ等の記憶装置で構成される。格納部５５には、たとえば、ＭＦＰ１０から送信されてきた各種の画像データ（遠隔操作画面の表示用データ等）が一時的に格納される。
【００６７】
操作部５６は、携帯端末５０に対する入力を受け付ける操作入力部５６ａと、各種情報の表示出力を行う表示部５６ｂとを備えている。
【００６８】
この携帯端末５０においては、液晶表示パネルに圧電センサ等が埋め込まれて構成された２つのタッチパネル７５，７７（図１参照）が設けられている。詳細には、タッチパネル７５は、略板状の携帯端末５０の正面において、その外縁部（枠部）を除く中央部分に設けられている。また、タッチパネル７７は、略矩形形状を有する携帯端末５０の外縁部のうち一の長辺に相当する部分付近に設けられている。携帯端末５０の当該外縁部（当該一の長辺に相当する部分）においては、その正面側の角部を斜めにカットする面取り処理が施された傾斜部分が設けられており、当該傾斜部分にタッチパネル７７が設けられている。当該タッチパネル７７は、携帯端末５０の正面からのみならず携帯端末５０の側方からも視認され得る。
【００６９】
これらのタッチパネル７５，７７は、それぞれ、操作入力部５６ａとしても機能するとともに表示部５６ｂとしても機能する。タッチパネル７５においては、たとえば、上述の遠隔操作画面（操作用画像）が表示され、当該遠隔操作画面に対する操作入力が受け付けられる。また、タッチパネル７７においては、たとえば、後述するように、ハードウエアキー画像等が操作用画像として表示され、当該ハードウエアキー画像等に対する操作入力が受け付けられる。
【００７０】
コントローラ５９は、携帯端末５０に内蔵され、携帯端末５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、記憶部（半導体メモリ等）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介して携帯端末５０にインストールされてもよく、あるいはネットワーク１０８等を介して携帯端末５０にインストールされてもよい。
【００７１】
当該プログラムは、たとえば、画像形成装置１０を遠隔操作するアプリケーションソフトウエアプログラムであり、遠隔操作に関する諸機能等を実現する。
【００７２】
具体的には、コントローラ５９は、当該プログラムの実行により、通信制御部６１と入出力制御部６５とを含む各種の処理部を実現する。
【００７３】
通信制御部６１は、通信部５４等と協働して、画像形成装置１０等との通信動作を制御する処理部である。
【００７４】
入力制御部６２は、操作入力部５６ａ（タッチパネル７５，７７等）に対する操作入力動作を制御する制御部である。たとえば、入力制御部６２は、タッチパネル７５，７７に表示された操作画面に対する操作入力を受け付ける動作を制御する。
【００７５】
表示制御部６３は、表示部５６ｂ（タッチパネル７５，７７等）における表示動作を制御する処理部である。たとえば、表示制御部６３は、タッチパネル７５，７７における表示動作を制御する。
【００７６】
＜１−４．ＭＦＰに表示される操作画面＞
図４は、ＭＦＰ１０に表示される操作用画像２００の一例を示す図である。図４に示されるように、ＭＦＰ１０のタッチパネル２５には、たとえば、コピー機能に関する設定操作を行うための操作用画像２２０（２２０ａ）が表示される。
【００７７】
操作用画像２２０ａは、その内部下側において、キー（ボタン）配置領域２３０を有する。キー配置領域２３０には、複数（図４では７個）のソフトウエアキー画像（以下、単にソフトウエアキーとも称する）２５０が配置される。より詳細には、キー配置領域２３０には、多数（たとえば２０個）のソフトウエアキーの中から選択された所定数（ここでは、７個）のソフトウエアキーが表示される。キー配置領域２３０に対するフリック操作（たとえば左右方向のフリック操作）が行われると、キー配置領域２３０に表示されるソフトウエアキーが変更される。
【００７８】
また、ＭＦＰ１０の操作者は、キー配置領域２３０に表示されている複数のソフトウエアキーのうちの一のソフトウエアキーを押下（たとえばシングルタップ）することによって、当該一のソフトウエアキーに対応する詳細設定用の画面をさらに呼び出し、より詳細な設定を行うことが可能である。
【００７９】
＜１−５．携帯端末に表示される遠隔操作画面＞
ＭＦＰ１０は、携帯端末５０による遠隔操作が可能である。この実施形態では、携帯端末５０によりＭＦＰ１０を遠隔操作するに際して、上述のような操作用画像２２０ａと同様の画像を携帯端末５０にて表示させてユーザからの指示操作を受け付ける。
【００８０】
また、ＭＦＰ１０のハードウエアキーを用いた指示操作と同じ内容の指示操作を遠隔操作で実現するため、ＭＦＰのハードウエアキーに対応するハードウエアキー画像も、携帯端末５０にて表示させてユーザからの指示操作を受け付ける。
【００８１】
ただし、この実施形態においては、携帯端末５０のタッチパネル（表示部）の個数に応じた遠隔操作画面（操作用画像）が携帯端末５０に表示される。
【００８２】
具体的には、携帯端末５０が２つのタッチパネルを有する場合には、互いに異なる２つの操作用画像３００（３２０，３４０）が携帯端末５０に表示される。たとえば、図５に示すように、携帯端末５０ａが２つのタッチパネル７５，７７を有する場合には、互いに異なる２つの操作用画像３２０（３２０ａ），３４０（３４０ａ）が携帯端末５０ａに表示される。図５は、携帯端末５０ａの正面図である。図５においては、携帯端末５０ａのタッチパネル７５に操作用画像３２０ａ（第１の画像）が表示されるとともに、もう一つのタッチパネル７７において、別の操作用画像３４０ａ（第２の画像）が表示される様子が示されている。また、図６は、携帯端末５０ａの側面図である。図６においては、タッチパネル７７に操作用画像３４０ａが表示される様子が示されている。
【００８３】
ここにおいて、操作用画像３４０ａは、複数のハードウエアキー画像３１０（３４１〜３５０）（図６等参照）を有する画像である。複数のハードウエアキー画像３１０は、ＭＦＰ１０の操作部６に設けられた複数のハードウエアキー２１０にそれぞれ対応する画像である。たとえば、ハードウエアキー画像３４１は、電源キー（副電源キー）２０１に対応する画像である。また、ハードウエアキー画像３４２，３４３，３４４，３４５，３４６は、メニューキー２１１、ガイドキー２１２、ＩＤキー２１３、割込キー２１４およびプレビューキー２１５にそれぞれ対応する画像である。また、ハードウエアキー画像３４８，３４９，３５０は、スタートキー２０５、ストップキー２０６、およびリセットキー２０７にそれぞれ対応する画像である。また、ハードウエアキー画像３４７は、ＭＦＰ１０の操作部に設けられたテンキーに対応する画像である。なお、当該テンキーは、たとえば、ＭＦＰ１０のタッチパネル２５の裏側に隠されて設けられている。操作部６のスライド部材（タッチパネル２５が配置された部材）をスライドさせることによって、当該テンキーが出現する。
【００８４】
複数のハードウエアキー画像３４１〜３５０のうちの一のキー画像が押下（たとえばシングルタップ）されると、当該一のキー画像に対応するハードウエアキーの押下により付与された指示と同じ指示が付与されたものとみなされる。すなわち、携帯端末５０のユーザは、ハードウエアキー画像３１０（３４１〜３５０）を用いた遠隔操作によって、ＭＦＰのハードウエアキー２１０による指示と同じ指示を付与することができる。
【００８５】
このように、携帯端末５０（たとえば５０ａ）が２つのタッチパネル７５，７７を有する場合には、当該２つのタッチパネル７５，７７において、２つの異なる操作用画像３２０，３４０が個別に表示される。
【００８６】
一方、携帯端末５０（たとえば５０ｂ）が一のタッチパネル７５のみを有する場合には、２つの操作用画像３２０，３４０に関する合成画像が遠隔操作画面（操作用画像）として携帯端末５０に表示される。図７は、単一の表示部（タッチパネル７５）を有する携帯端末５０ｂにおいて、当該合成画像に係る操作用画像３６０（３６０ａ）が示されている。操作用画像（合成画像）３６０（３６０ａ）は、２つの操作用画像３２０（３２０ａ），３４０（３４０ａ）が合成されて生成された画像である（図８参照）。図８は、２つの操作用画像３２０，３４０が合成されて、操作用画像３６０が生成される様子を示す図である。
【００８７】
このような態様によれば、携帯端末５０ａが２つのタッチパネル７５，７７を有する場合には、２つの操作用画像３２０ａ，３４０ａが２つのタッチパネル７５，７７に個別に表示される（図５等参照）。タッチパネル７５の操作用画像３２０においては、操作用画像３４０が重畳表示されないので、重畳表示による視認性の低下を抑制することが可能である。
【００８８】
また、特に、合成画像に係る操作用画像３６０（図７参照）が携帯端末５０の表示部の個数に依らずに常に表示される場合と比較して、携帯端末における複数の表示部を有効に活用することが可能である。
【００８９】
このように、この実施形態によれば、携帯端末５０における複数のタッチパネル７５，７７（表示部）を有効に活用し、重畳表示による視認性の低下を抑制することが可能である。
【００９０】
以下、このような態様についてさらに詳細に説明する。
【００９１】
＜１−６．動作＞
図９は、ＭＦＰ１０の動作を示すフローチャートであり、図１０は、携帯端末５０の動作を示すフローチャートである。また、図１１は、画像形成システム１における動作例を示すタイミングチャートである。
【００９２】
ＭＦＰ１０と携帯端末５０との通信が確立されログイン動作等が終了した後、ステップＳ１１において、ＭＦＰ１０は、タッチパネル２５に表示される操作用画像２２０等に基づき、ＭＦＰ１０の操作用画像（遠隔操作用画面）として携帯端末５０にて表示すべき画像（表示対象画像）を特定する。
【００９３】
ここでは、図４に示すような操作用画像２２０ａがＭＦＰ１０のタッチパネル２５に表示されている状況を想定する。この場合、ＭＦＰ１０は、当該操作用画像２２０ａと同じ画像３２０ａ（図５参照）を、携帯端末５０にて表示すべき操作用画像としてまず決定する。換言すれば、ＭＦＰ１０の操作部６（詳細にはタッチパネル２５）にて表示される操作画面（操作用画像）２２０ａに対応する画像（２２０ａと同じ画像）３２０ａ（図５参照）が、携帯端末５０にて表示すべき操作用画像としてまず決定される。さらに、ＭＦＰ１０は、画像３４０（３４０ａ）（図６参照）をも、携帯端末５０にて表示すべき操作用画像として決定する。画像３４０ａは、複数のハードウエアキー画像３４１〜３５０を含む画像である。上述のように、複数のハードウエアキー画像３４１〜３５０は、ＭＦＰ１０の操作部６の複数のハードウエアキーにそれぞれ対応する画像である。
【００９４】
このように、ＭＦＰ１０は、複数の画像（２つの操作用画像３２０，３４０を含む）を操作用画像として特定する。
【００９５】
また、ステップＳ１２において、ＭＦＰ１０は、携帯端末５０と通信することによって、携帯端末５０の表示部の情報（表示部の個数（たとえば２個）および各表示部の画素数（たとえば、１２００×８００画素等））を取得する。より詳細には、携帯端末５０は、当該情報をＭＦＰ１０に向けて送信し（ステップＳ５１（図１０））、ＭＦＰ１０は、当該情報を携帯端末５０から受信して取得する。
【００９６】
次のステップＳ１３においては、ＭＦＰ１０は、ステップＳ１１における特定結果とステップＳ１２で取得した情報（より詳細には携帯端末５０の表示部の個数の情報）とに基づいて、連携先の携帯端末５０における表示態様（「個別表示」／「合成表示」（次述））を決定する。そして、その決定内容を携帯端末に通知する。
【００９７】
具体的には、２つの画像（たとえば３２０，３４０）がステップＳ１１にて操作用画像として特定される場合であって携帯端末５０の表示部の個数が２以上であると認識される場合には、携帯端末５０の複数の表示部のうちの異なる２つの表示部（たとえば７５，７７）に当該２つの画像を個別に表示すべき旨（「個別表示」）が決定される。より詳細には、２つの操作用画像３２０，３４０の大きさ（画素数）とタッチパネル７５，７７の大きさ（画素数）とに基づいて、タッチパネル７５に操作用画像３２０を表示し且つタッチパネル７７に操作用画像３４０を表示すべき旨、が決定される。換言すれば、２つの画像３２０，３４０のうち比較的大きな操作用画像３２０をタッチパネル７５（２つのタッチパネル７５，７７のうち比較的大きなタッチパネル）に表示すべきであり、且つ、操作用画像３２０よりも小さな操作用画像３４０（比較的小さな画像）を、タッチパネル７５よりも小さなタッチパネル７７（比較的小さな表示部）に表示すべきである旨が決定される。そして、ＭＦＰ１０は、当該決定内容を規定した表示指令（決定内容通知）を、携帯端末５０に送信する。
【００９８】
一方、２つの画像が操作用画像としてステップＳ１１にて特定される場合であって携帯端末５０の表示部の個数が１個であると認識される場合には、携帯端末５０の単一の表示部（たとえばタッチパネル７５）に当該２つの画像３２０，３４０に関する合成画像３６０を表示すべき旨（「合成表示」）が決定される。そして、ＭＦＰ１０は、当該決定内容を示す表示指令（決定内容通知）を携帯端末５０に送信する。
【００９９】
なお、携帯端末５０が３つの表示部（タッチパネル７５，７７，７９（不図示））を有している場合において２つの画像が表示対象画像（操作用画像）として特定されるときにも、携帯端末５０の複数の表示部のうちの異なる２つの表示部（タッチパネル７５，７７）に当該２つの画像を個別に表示すべき旨が決定されるようにしてもよい。このとき、残余の表示部（タッチパネル７９）には、当該２つの画像の一方が表示されてもよい。たとえば、タッチパネル７５に操作用画像３２０を表示し且つタッチパネル７７に操作用画像３４０を表示し且つタッチパネル７９にも操作用画像３４０を表示すべき旨、が決定されてもよい。または、当該残余の表示部（タッチパネル７９）には、当該２つの画像の合成画像が表示されてもよく、あるいは、いずれの画像も表示されないようにしてもよい。
【０１００】
次のステップＳ１４においては、ステップＳ１３での決定結果に基づく分岐処理が行われる。
【０１０１】
「合成表示」を行う旨の決定（合成表示決定とも称する）が行われた場合には、ステップＳ１４からステップＳ２１に進む。ステップＳ２１では、ＭＦＰ１０は、２つの画像３２０，３４０の合成画像３６０を生成し、当該合成画像３６０を携帯端末５０（たとえば５０ｂ）に送信する。携帯端末５０（５０ｂ）は、ステップＳ５２（図１０参照）にて、当該携帯端末５０自身が単一の表示部を有する旨を判定し、ステップＳ６１に進む。そして、携帯端末５０は、「合成表示」を行うべき旨の決定結果と合成画像３６０（３６０ａ）とをＭＦＰ１０から受信する（ステップＳ６１）と、図７に示すように、当該合成画像３６０（３６０ａ）をタッチパネル７５に表示する（ステップＳ６２）。
【０１０２】
一方、「個別表示」を行う旨の決定（個別表示決定とも称する）が行われた場合には、ステップＳ１４からステップＳ１６に進む。ステップＳ１６では、ＭＦＰ１０は、２つの画像３２０，３４０を準備し、当該２つの操作用画像３２０，３４０を携帯端末５０（たとえば５０ａ）に送信する。なお、ここでは、操作用画像３２０，３４０は、ＭＦＰ１０の格納部５内に予め格納されているものとし、当該格納部５から抽出されることによってＭＦＰ１０側で準備されるものとする。
【０１０３】
携帯端末５０（たとえば５０ａ）は、ステップＳ５２（図１０参照）にて、当該携帯端末５０自身が複数の表示部を有する旨を判定し、ステップＳ５２からステップＳ５３に進む。携帯端末５０は、「個別表示」を行うべき旨の決定結果と２つの画像３２０，３４０とをＭＦＰ１０から受信する（ステップＳ５３（図１０および図１１等参照））と、当該２つの画像３２０，３４０をタッチパネル７５，７７に個別に表示する（ステップＳ５７）。具体的には、図５に示すように、ＭＦＰ１０は、操作用画像３２０（３２０ａ）をタッチパネル７５に表示し、操作用画像３４０（３４０ａ）をタッチパネル７７に表示する（ステップＳ５７）。
【０１０４】
その後、携帯端末５０は、タッチパネル７５およびタッチパネル７７のそれぞれに対するユーザ操作を受け付け、その操作内容をＭＦＰ１０に送信する。詳細には、携帯端末５０は、操作用画像３２０，３４０のいずれに対する操作であるかを示す情報、およびその操作位置（押下位置）に関する座標情報をＭＦＰ１０に送信する。なお、座標情報は、ＭＦＰ１０における座標系への座標変換処理を経た後に送信されることが好ましい。ＭＦＰ１０は、受信した情報に基づき、携帯端末５０による遠隔操作内容を把握し、当該遠隔操作内容に対応する処理を実行する。
【０１０５】
以上のような態様によれば、２つの画像３２０，３４０を含む複数の画像が操作用画像として特定され且つ携帯端末５０の表示部の個数が２以上である場合、ＭＦＰ１０は、個別表示すべき旨の表示指令を携帯端末５０に送信する。具体的には、携帯端末５０の複数の表示部のうちの異なる２つのタッチパネル（表示部）７５，７７に２つの操作用画像３２０，３４０を個別に表示すべき旨の表示指令が送信される。そして、当該表示指令に応答して、２つの操作用画像３２０，３４０が２つのタッチパネル７５，７７に個別に表示される。タッチパネル７５の操作用画像３２０においては、操作用画像３４０が重畳表示されないので、重畳表示による視認性の低下を抑制することが可能である。また、携帯端末５０の複数の表示部を有効に活用することが可能である。
【０１０６】
＜２．第２実施形態＞
上記第１実施形態においては、常に、操作用画像３２０および操作用画像３４０の双方がＭＦＰ１０において準備されているが、これに限定されない。たとえば、操作用画像３４０は、ステップＳ１６での送信直前等において携帯端末５０により生成されることによって、携帯端末５０により準備されるようにしてもよい。また、操作用画像３４０を何れの装置が準備すべきかが、所定の基準に基づく判定処理によって変更されるようにしてもよい。なお、操作用画像３４０を携帯端末５０が準備する場合には、後述するように、操作用画像３４０を携帯端末５０にて生成するための生成用情報が、ＭＦＰ１０から携帯端末５０へと送信されればよい。
【０１０７】
第２実施形態においては、操作用画像３４０（第２の画像）を何れの装置が準備すべきかがＭＦＰ１０によって判定される態様について詳細に説明する。この第２実施形態では、ＭＦＰ１０と携帯端末との間のネットワーク通信における通信速度（ネットワーク通信速度）に基づいて、操作用画像３４０を何れの装置が準備すべきかが決定される。以下では、このような態様について、第１実施形態との相違点を中心に説明する。
【０１０８】
図１２は、第２実施形態に係るＭＦＰ１０の動作を示すフローチャートであり、図１３は、第２実施形態に係る携帯端末５０の動作を示すフローチャートである。また、図１４は、第２実施形態に係る画像形成システム１の一の動作例（操作用画像３４０がＭＦＰ１０により準備される場合）を示すタイミングチャートであり、図１５は、他の動作例（操作用画像３４０が携帯端末５０により準備される場合）を示すタイミングチャートである。また、図１６は、第２実施形態に係るＭＦＰ１０の機能ブロック図であり、図１７は、第２実施形態に係る携帯端末５０の機能ブロック図である。図１６および図１７に示すように、第２実施形態においては、ＭＦＰ１０は判定部１７をさらに備えており、携帯端末５０は画像準備部６８をさらに備えている。
【０１０９】
図１２においては、ステップＳ１５〜Ｓ１７に係る部分が図９と相違し、図１３においては、ステップＳ５４〜Ｓ５６に係る部分が図１０と相違する。
【０１１０】
ＭＦＰ１０（判定部１７（図１６））は、図１２のステップＳ１５において、操作用画像３４０をＭＦＰ１０と携帯端末５０とのいずれの装置が準備すべきかを判定する。ここでは、ＭＦＰ１０は、ネットワークの状況（ＭＦＰ１０と携帯端末との間のネットワーク通信速度）に基づいて、操作用画像３４０を何れの装置が準備すべきか、を判定する。より詳細には、ＭＦＰ１０と携帯端末との間のネットワーク通信速度が所定レベルよりも大きい場合（換言すれば、ＭＦＰ１０と携帯端末５０との両者の間において所定レベルよりも高速な通信が実行され得る場合）には、ＭＦＰ１０は、操作用画像３４０をＭＦＰ１０自身が準備すべき旨を判定する。逆に、当該ネットワーク通信速度が所定レベルよりも小さい場合（換言すれば、当該両者１０，５０の間において所定レベルよりも低速な通信しか実行できない状況である場合）には、ＭＦＰ１０は、携帯端末５０が操作用画像３４０を準備すべき旨を決定する。
【０１１１】
ＭＦＰ１０自身が操作用画像３４０を準備すべき旨が判定された場合には、ステップＳ１６に進む。ステップＳ１６の動作は、第１実施形態と同様である。ステップＳ１６において、ＭＦＰ１０は、予め生成された両操作用画像３２０，３４０を携帯端末５０へと送信する（図１４も参照）。なお、この場合、ステップＳ１７の処理は行われず操作用画像３４０の準備依頼は携帯端末に送信されない。
【０１１２】
携帯端末５０は、ステップＳ５４〜Ｓ５６のループ処理（受信処理）にて操作用画像３２０と操作用画像３４０とをＭＦＰ１０から受信する（ステップＳ５６）と、図５等に示されるように、操作用画像３２０をタッチパネル７５に表示し且つ操作用画像３４０をタッチパネル７７に表示する（ステップＳ５７）。なお、この場合、操作用画像３４０の準備依頼は受信されず、ステップＳ５５（後述）の動作が実行されることなく（操作用画像３２０の受信完了に応答して）、処理はステップＳ５７に進む。
【０１１３】
一方、携帯端末５０が操作用画像３４０を準備すべき旨が判定された場合には、ステップＳ１５からステップＳ１７に進む。ステップＳ１７において、ＭＦＰ１０は、両操作用画像３２０，３４０のうち操作用画像３２０のみを携帯端末５０に送信するとともに、他方の操作用画像３４０の準備依頼を携帯端末５０に送信する。この際、ＭＦＰ１０は、比較的早期に操作用画像３４０の生成処理を携帯端末５０に開始させるため、操作用画像３２０よりも先に操作用画像３４０の準備依頼を携帯端末５０に送信することが好ましい（図１５参照）。
【０１１４】
携帯端末５０は、ステップＳ５４〜Ｓ５６のループ処理（受信処理）にて操作用画像３４０の準備依頼を受信すると、操作用画像３４０の準備依頼を受信したことをステップＳ５４にて判定し、ステップＳ５５に進む。なお、携帯端末５０において、操作用画像３２０の受信処理と、次述する操作用画像３４０の生成処理（ステップＳ５５）とは、並列的に実行される。
【０１１５】
ステップＳ５５において、携帯端末５０（詳細には、画像準備部（画像生成部とも称される）６８（図１７））は、操作用画像３４０の準備依頼に基づき、操作用画像３４０の準備処理（生成処理）を実行する。当該準備依頼には、操作用画像３４０の準備用情報（第２の画像の生成用情報）が含まれ、当該生成用情報には、操作用画像３４０の生成に用いる各種情報が含まれる。図１８に示すように、たとえば、当該生成用情報には、複数の項目要素（ここでは画像要素（操作用画像３４０に含まれる複数のハードウエアキー画像３４１〜３５０））に関する、要素ＩＤ、位置（Ｘ，Ｙ）および大きさ（Ｗ（幅），Ｈ（高さ））等に関する情報が含まれる。なお、この位置および大きさは、基本サイズの操作用画像３４０に関する情報である。
【０１１６】
携帯端末５０は、その格納部５５に操作用画像３４０の雛型画像（テンプレート画像）３７０と複数の部品画像３７１，３７２，３７３，...とを予め格納している。雛型画像（テンプレート画像）３７０（図１９）は、操作用画像３４０の外形等を規定する画像データであり、複数の部品画像３７１，３７２，３７３，...（図１９）は、各部品要素の画像データである。携帯端末５０は、上述の準備依頼に応答して、当該準備依頼に含まれる生成用情報から各要素ＩＤを抽出し、当該各要素ＩＤに対応する各画像部品を格納部５５から抽出する。また、携帯端末５０は、上記の生成用情報に含まれる位置情報（Ｘ，Ｙ）および大きさ情報（Ｗ，Ｈ）、ならびに基本サイズの操作用画像とタッチパネル７７の大きさ（画素数）との比率等に基づいて、当該各画像部品の位置および大きさを調整して、当該各画像部品をテンプレート画像上に重畳する。より詳細には、携帯端末５０は、複数の項目要素（選択用項目要素）に対応する複数の部品画像（ハードウエアキー画像）３７１，３７２，３７３，...をテンプレート画像３７０上に水平方向に配列することによって操作用画像３４０を生成する。このようにして、携帯端末５０は、操作用画像３４０を準備する。
【０１１７】
操作用画像３４０の準備処理（ステップＳ５５）が完了し且つ操作用画像３２０の受信が完了したことがステップＳ５６にて判断されると、ステップＳ５７に進む。携帯端末５０は、ステップＳ５７において、操作用画像３２０をタッチパネル７５に表示し且つ操作用画像３４０をタッチパネル７７に表示する（図５参照）。なお、図１９の操作用画像３４０は、タッチパネル７７と同じ高さを有するとともに、タッチパネル７７よりも大きな幅を有している。タッチパネル７７には、幅方向において、当該操作用画像３４０の一部（表示対象領域（図の太線破線領域））が表示される。換言すれば、比較的多数の項目要素のうちの少数の項目要素が選択的にタッチパネル７７に表示される。これにより、タッチパネル７７において、各項目要素を比較的大きく表示することが可能である。そして、操作者による水平方向（左右方向）のフリック操作に応じて、操作用画像３４０の表示対象領域が変更される。すなわち、タッチパネル７７において、操作用画像３４０の水平方向のスクロール操作が実現される。操作者は、スクロール操作により所望の項目要素をタッチパネル７７に表示させることが可能である。
【０１１８】
以上のような動作によれば、操作用画像３４０を何れの装置で準備すべきかが、ネットワーク通信速度に応じて変更されるので、通信状況を考慮して柔軟に対応することが可能である。特に、ＭＦＰ１０と携帯端末５０との両者の間において所定レベルよりも低速な通信しか実行できない状況であると判定される場合には、ＭＦＰ１０から携帯端末５０へと生成用情報が送信され、当該生成用情報に基づいて生成用携帯端末５０によって操作用画像３４０が準備される。また、当該生成用情報は、操作用画像３４０の画像自体よりも小さなデータ容量を有する。したがって、操作用画像３４０の画像自体が送信される場合に比べて、ネットワーク通信の速度低下に起因してデータ送信時間が長大化することを防止し、より早期に操作用画像３４０を準備することが可能である。ひいては、携帯端末５０において比較的早期に操作用画像３４０を表示することが可能であり、操作性の低下を抑制することが可能である。
【０１１９】
＜３．第３実施形態＞
上記第１および第２実施形態では、携帯端末５０にて「個別表示」が行われるか「合成表示」が行われるかが、ＭＦＰ１０によって決定されているが、これに限定されない。携帯端末５０にて「個別表示」が行われるか「合成表示」が行われるかが携帯端末５０によって決定されるようにしてもよい。
【０１２０】
また、上記第２実施形態では、操作用画像３４０を準備すべき装置がＭＦＰ１０によって決定されているが、これに限定されない。操作用画像３４０を準備すべき装置が携帯端末５０によって決定されてもよい。
【０１２１】
第３実施形態では、これらの改変を伴う態様について説明する。以下では、第２実施形態との相違点を中心に説明する。
【０１２２】
図２０は、第３実施形態に係るＭＦＰ１０の動作を示すフローチャートであり、図２１は、第３実施形態に係る携帯端末５０の動作を示すフローチャートである。また、図２２は、第３実施形態に係る画像形成システム１の一の動作例（操作用画像３４０がＭＦＰ１０により準備される場合）を示すタイミングチャートであり、図２３は、他の動作例（操作用画像３４０が携帯端末５０により準備される場合）を示すタイミングチャートである。また、図２４は、第３実施形態に係る携帯端末５０の機能ブロック図である。なお、第３実施形態に係るＭＦＰ１０は、第１実施形態に係るＭＦＰ１０（図２参照）と同様の構成の機能ブロックを有している。ただし、当該ＭＦＰ１０は、決定部１６を設けることを要しない。携帯端末５０の決定部６６が決定部１６の処理と同様の処理を実行する。
【０１２３】
図２０は、図１２と比較して、ステップＳ１２，Ｓ１３に代えてステップＳ３２，Ｓ３３が実行される点、およびステップＳ１５〜ステップＳ１７に代えてステップＳ３５〜ステップＳ３９が実行される点において相違する。
【０１２４】
図２１は、ステップＳ５１〜Ｓ５６に代えてステップＳ７１〜Ｓ７６が実行される点において、図１３と相違する。
【０１２５】
図２０に示すように、ＭＦＰ１０は、ＭＦＰ１０の遠隔操作用画像として携帯端末５０にて表示すべき操作用画像を特定（ステップＳ１１）した後、その特定内容に基づく内容を携帯端末５０に通知する（ステップＳ３２）。
【０１２６】
たとえば、２つの操作用画像３２０，３４０が操作用画像として特定された場合、ＭＦＰ１０は、操作用画像として携帯端末５０にて表示すべき画像（表示対象画像）の個数が複数である旨を携帯端末５０に送信する。より詳細には、ＭＦＰ１０は、携帯端末５０の複数の表示部のうちの２つの表示部に２つの画像を個別に表示すべきか否かに関する決定を携帯端末５０に行わせるために、表示対象画像の個数が複数である旨を携帯端末５０に送信する。
【０１２７】
一方、携帯端末５０は、ステップＳ７１（図２１）において、表示対象画像の個数をＭＦＰ１０から受信すると、当該携帯端末５０の表示部の数と表示対象画像の個数とに基づいて、携帯端末が「個別表示」を行うべきか「合成表示」を行うべきかを決定する。この決定処理は、携帯端末５０の決定部６６（図２４）等によって行われる。
【０１２８】
たとえば、携帯端末５０の表示部の個数が１個であり且つ表示対象画像の個数が２つである場合、携帯端末５０は、当該携帯端末５０の単一の表示部に２つの画像の合成画像を表示すべき旨、を決定する。端的に言えば、携帯端末５０は、「合成表示」を行うべき旨を決定する。その後、携帯端末５０は、その決定結果をＭＦＰ１０に通知する。この場合、さらにステップＳ７２からステップＳ６１，Ｓ６２に進む。そして、ステップＳ６１，Ｓ６２にて上述の処理と同様の処理が行われる。
【０１２９】
また、携帯端末５０の表示部の個数が２以上であり且つ表示対象画像の個数が２つであるた場合、携帯端末５０は、当該携帯端末５０の複数の表示部のうちの異なる２つの表示部に２つの画像を個別に表示すべき旨、を決定する。端的に言えば、携帯端末５０は、「個別表示」を行うべき旨を決定する。そして、携帯端末５０は、その決定結果をＭＦＰ１０に通知する。この場合、ステップＳ７２からステップＳ７３に進む。
【０１３０】
そして、ステップＳ７３〜ステップＳ７６において、携帯端末５０は、当該決定内容（「個別表示」）に基づき、当該２つの表示対象画像（操作用画像３２０，３４０）（詳細にはその画像データ）を取得する。
【０１３１】
より詳細には、まずステップＳ７３において、携帯端末５０は、ＭＦＰ１０との間のネットワーク通信速度に基づき、２つの操作用画像３２０，３４０のうちの一の操作用画像３４０をＭＦＰ１０が準備すべきか携帯端末５０が準備すべきかを判定する。この判定処理は、携帯端末５０の判定部６７（図２４）等によって実行される。なお、判定手法は、第２実施形態と同様である。具体的には、ネットワーク通信速度が所定レベルよりも大きい場合には、操作用画像３４０をＭＦＰ１０が準備すべき旨が判定され、ネットワーク通信速度が所定レベルよりも小さい場合には、操作用画像３４０を携帯端末５０が準備すべき旨が判定される。
【０１３２】
操作用画像３４０をＭＦＰ１０が準備すべき旨が判定された場合、携帯端末５０は、操作用画像３４０の送信依頼（準備依頼）をＭＦＰ１０に送信（ステップＳ７４）し、ＭＦＰ１０から操作用画像３４０（詳細にはその画像データ）を受信する。
【０１３３】
一方、操作用画像３４０を携帯端末５０が準備すべき旨が判定された場合、携帯端末５０は、当該生成用情報に基づき、操作用画像３４０を生成する（ステップＳ７５）。より詳細には、携帯端末５０は、まず、操作用画像３４０を生成するための生成用情報の送信依頼をＭＦＰ１０に送信し、当該生成用情報をＭＦＰ１０から受信して、当該生成用情報に基づき操作用画像３４０を生成する。たとえば、当該生成用情報に含まれる複数の項目要素を所定方向に配列した画像が、操作用画像３４０として生成される。
【０１３４】
再び図２０を参照して、ＭＦＰ１０の対応動作について説明する。
【０１３５】
ＭＦＰ１０は、「個別表示」と「合成表示」とのいずれを行うかに関する決定内容（ステップＳ７１）の通知をステップＳ３３にて携帯端末５０から受信すると、ステップＳ１４の分岐処理に進む。
【０１３６】
「合成表示」を行うべき旨の決定結果が受領された場合には、ステップＳ１４からステップＳ２１に進み、ＭＦＰ１０は、合成画像３６０を携帯端末５０に送信する（ステップＳ２１）。その後、上述したように、携帯端末５０は、合成画像３６０を受信し（ステップＳ６１）、当該合成画像３６０をタッチパネル７５に表示する（ステップＳ６２）。
【０１３７】
一方、「個別表示」を行うべき旨の決定結果が受領された場合には、ステップＳ１４からステップＳ３５に進み、ＭＦＰ１０は、まず操作用画像３２０（第１の画像）の送信を開始する（図２２および図２３も参照）。
【０１３８】
その後、操作用画像３４０（第２の画像）に関して、操作用画像３４０自体の送信依頼と操作用画像３４０の生成用情報の送信依頼とのいずれを受信したかに応じて、分岐処理が行われる（ステップＳ３６）。
【０１３９】
操作用画像３４０の生成用情報の送信依頼を受信した場合には、ＭＦＰ１０は、当該生成用情報を携帯端末５０に送信する（ステップＳ３９）（図２３も参照）。
【０１４０】
一方、操作用画像３４０自体の送信依頼を受信した場合には、ＭＦＰ１０は、操作用画像３４０を準備し（ステップＳ３７）、操作用画像３４０を送信する（ステップＳ３８）（図２２も参照）。
【０１４１】
再び図２１を参照する。図２１のステップＳ７６において、操作用画像３２０の受信が完了したことに加えて、操作用画像３４０の受信あるいは操作用画像３４０の生成が完了したこともが判定されると、ステップＳ５７に進む。ステップＳ５７において、携帯端末５０は、２つの操作用画像３２０，３４０をタッチパネル７５，７７に個別に表示する。より詳細には、携帯端末５０は、操作用画像３２０をタッチパネル７５に表示し、操作用画像３４０をタッチパネル７７に表示する。
【０１４２】
以上のような動作によれば、第２実施形態と同様の効果を得ることができる。
【０１４３】
なお、この第３実施形態においては、携帯端末にて「個別表示」が行われるか「合成表示」が行われるかが携帯端末５０によって決定されるとともに、操作用画像３４０を準備すべき装置もが携帯端末５０によって決定されているが、これに限定されない。
【０１４４】
たとえば、携帯端末５０にて「個別表示」が行われるか「合成表示」が行われるかが「携帯端末５０」によって決定される一方で、操作用画像３４０を準備すべき装置は「ＭＦＰ１０」によって決定されるようにしてもよい。より詳細には、図２０のフローチャートにおいて、ステップＳ３５〜Ｓ３９に代えてステップＳ１５〜ステップＳ１７（図１２参照）の処理が実行され、ステップＳ７１等を含む図２１のフローチャートにおいて、ステップＳ７３〜Ｓ７６に代えてステップＳ５４〜Ｓ５６（図１３）の処理が行われればよい。
【０１４５】
あるいは、携帯端末５０にて「個別表示」が行われるか「合成表示」が行われるかが「ＭＦＰ１０」によって決定される一方で、操作用画像３４０を準備すべき装置が「携帯端末５０」によって決定されるようにしてもよい。より詳細には、ステップＳ１３等を含む図１２のフローチャートにおいて、ステップＳ１５〜ステップＳ１７に代えてステップＳ３５〜Ｓ３９（図２０参照）の処理が実行され、図１３のフローチャートにおいて、ステップＳ５４〜Ｓ５６に代えてステップＳ７３〜Ｓ７６（図２１）の処理が行われればよい。
【０１４６】
また、この第３実施形態においては、ＭＦＰ１０は、携帯端末５０における決定結果を受信（ステップＳ３３）した後に、２つの操作用画像３２０，３４０に関する情報を送信している（ステップＳ３５〜Ｓ３９）が、これに限定されない。たとえば、ＭＦＰ１０は、携帯端末５０における決定処理（ステップＳ７１）の前に、当該２つの操作用画像３２０，３４０に関する情報を予め送信するようにしてもよい。当該２つの操作用画像３２０，３４０に関する情報は、操作用画像３２０の画像データと操作用画像３４０の画像データとを含む情報であってもよく、あるいは、操作用画像３２０の画像データと操作用画像３４０の生成用情報とを含む情報であってもよい。
【０１４７】
＜４．その他＞
以上、この発明の実施の形態について説明したが、この発明は上記説明した内容のものに限定されるものではない。
【０１４８】
たとえば、上記第２実施形態等においては、操作用画像３４０ａが携帯端末５０によって生成されているが、これに限定されず、操作用画像３４０ａは、携帯端末５０ではなくＭＦＰ１０によって生成されるようにしてもよい。より詳細には、ステップＳ１６（図１２），Ｓ３７（図２０）において、操作用画像３４０ａは、ステップＳ５５と同様の手法等を用いてＭＦＰ１０により生成されるようにしてもよい。
【０１４９】
また、上記各実施形態においては、互いに異なる２つの操作用画像３２０，３４０として、操作用画像３２０ａ，３４０ａが例示されている。具体的には、第１の画像として、ＭＦＰ１０の操作部６（詳細にはタッチパネル２５）にて表示される操作用画像２２０ａ（図４）に対応する画像３２０ａ（図５）が例示されている。また、第２の画像として、ＭＦＰ１０の操作部６に設けられた複数のハードウエアキー２１０（図４）にそれぞれ対応する複数のハードウエアキー画像３１０（３４１〜３５０）を含む画像３４０ａ（図５および図６）が例示されている。さらに、当該２つの合成画像３６０として画像３６０ａが例示されている。
【０１５０】
しかしながら、本発明はこれに限定されない。互いに異なる２つの操作用画像３２０，３４０は、図２７に示すような操作用画像３２０ｂ，３４０ｃなどであってもよい。操作用画像３２０ｂは、ＭＦＰ１０の操作部６（タッチパネル２５）にて（スキャン処理時等に）表示されるプレビュー表示画面２２０ｂ（図２５参照）に対応するプレビュー画像（２２０ｂと同じ画像）である。また、操作用画像３４０ｃは、ＭＦＰ１０の操作部６（タッチパネル２５）にて当該プレビュー表示画面２２０ｂに重畳して表示されるポップアップ画面２４０ｂ（図２５参照）に関する画像である。操作用画像３４０ｃは、ポップアップ画面２４０ｂ（図２５参照）における項目要素と同じ項目要素を有する画像であり、操作用画像３４０ｃを用いることによって、ポップアップ画面２４０ｂにおける選択操作と同様の選択を行うことが可能である。
【０１５１】
そして、このような操作用画像３２０ｂ，３４０ｃを含む複数の画像が操作用画像として特定され且つ携帯端末５０の表示部の個数が２以上である場合、タッチパネル７５に操作用画像３２０ｂが表示され且つタッチパネル７７に操作用画像３４０ｃが表示されるようにしてもよい（図２７参照）。
【０１５２】
また、当該操作用画像３２０ｂ，３４０ｃを含む複数の画像が操作用画像として特定され且つ携帯端末５０の表示部の個数が１個である場合には、操作用画像３２０ｂと操作用画像３４０ｃとに関する合成画像３６０ｂがタッチパネル７５に表示されるようにしてもよい（図２６参照）。合成画像３６０ｂは、操作用画像３２０ｂと操作用画像３４０ｃに対応する操作用画像３４０ｂとを合成して生成される画像（合成画像）である。また、操作用画像３４０ｂは、操作用画像３４０ｃに含まれる項目要素と同じ項目要素を有する画像であるとともに、ポップアップ画面２４０ｂ（図２５参照）に含まれる項目要素と同じ項目要素を有する画像である。操作用画像３４０ｂを用いることによっても、ポップアップ画面２４０ｂにおける選択操作と同様の選択を行うことが可能である。
【０１５３】
操作用画像３２０ｂ，３４０ｃが操作用画像として携帯端末５０に表示される場合においても、第１実施形態〜第４実施形態等と同様の詳細動作が行われ得る。
【０１５４】
また、操作用画像３４０ｃが用いられる場合には、ステップＳ５５（図１３），Ｓ７５（図２１）等にて、次のような準備動作（生成動作）が行われるようにしてもよい。
【０１５５】
当該準備動作においては、図２８に示すような生成用情報が用いられる。当該生成用情報には、操作用画像３４０に含まれるべき複数の項目要素（ここでは、ポップアップ画面内の選択用項目要素）のそれぞれに関する各種情報（要素ＩＤ、項目名称、位置（Ｘ，Ｙ）および大きさ（Ｗ，Ｈ）等）が含まれる。
【０１５６】
携帯端末５０は、タッチパネル７７向けの表示用画像の雛型画像（テンプレート画像）３７０を格納部５５に予め格納しておく。そして、携帯端末５０は、上述の準備依頼に応答して、当該準備依頼に含まれる生成用情報から各要素ＩＤを抽出し、当該各要素ＩＤに対応する項目名称に基づき各項目の各画像部品を生成する。たとえば、携帯端末５０は、要素ＩＤ「０００１」に対応する項目名称「全体表示」に基づき、画像部品３８１（図２９）を生成する。同様にして、画像部品３８２，３８３等も生成される。そして、携帯端末５０は、当該各画像部品をテンプレート画像３７０上に重畳して配置することによって、操作用画像３４０ｃ（図２９）を生成する。より詳細には、テンプレート画像３７０内には複数の項目要素配置用スペースが水平方向に配列されて設けられており、携帯端末５０は、複数の項目要素（選択用項目要素）に対応する複数の部品画像を、当該複数の項目要素配置用スペースにそれぞれ配置する。これによって、複数の部品画像（複数の項目要素）が水平方向に配列された操作用画像３４０ｃが生成される。なお、ここでは、生成用情報に含まれる位置情報（Ｘ，Ｙ）および大きさ情報（Ｗ，Ｈ）を利用せずに、複数の画像部品を有する操作用画像３４０ｃが生成されているが、これに限定されず、位置情報（Ｘ，Ｙ）および大きさ情報（Ｗ，Ｈ）を利用して操作用画像３４０ｃが生成されるようにしてもよい。
【０１５７】
なお、このような操作用画像３４０ｃは、ステップＳ１６（図１２），Ｓ３７（図２０）において、同様の手法等を用いてＭＦＰ１０により生成されるようにしてもよい。
【０１５８】
また、タッチパネル２５に表示される表示画像３２０ｄと当該表示画面に重畳してポップアップ表示される警告画像（警告画面）３４０ｄとを含む複数の画像が操作用画像として特定される際に、上記の思想が適用されるようにしてもよい。端的に言えば、「警告画像」３４０ｄが操作用画像３４０（第２の画像）として特定されるようにしてもよい。この場合、警告画像３４０ｄにおいては、警告内容を示す文字列（「カバーが開いています。カバーを閉じて下さい。」などの警告用文字列）が水平方向に並べて表示されればよい。
【０１５９】
また、操作用画像３２０，３４０は、それぞれ、或る情報を表示するとともにユーザからの操作入力を受け付けるものであってもよく、或る情報を表示するものの当該操作入力を受け付けないものであってもよい。たとえば、上述の操作用画像３２０ｂ（図２７）は、プレビュー画像に関する操作のためにプレビュー表示画面２２０ｂと同じ内容を表示する画像であり且つユーザからの操作入力を受け付けないものであってもよい。また、上記の警告画像３４０ｄは、警告内容を表示するもののユーザからの操作入力を受け付けないものであってもよい。また、これらの画像は、操作入力をも受け付ける表示部であるタッチパネル７５，７７ではなく、表示のみを行い且つ操作入力を受け付けない単なる表示部に表示されるようにしてもよい。すなわち、携帯端末５０の表示部は、操作入力を受け付けるものであってもよく、操作入力を受け付けないものであってもよい。
【０１６０】
また、上記第１実施形態等においては、携帯端末５０における表示態様に関する決定内容を示す表示指令が、ステップＳ１３においてＭＦＰ１０から携帯端末５０に送信されているが、これに限定されず、別のタイミングで送信されてもよい。たとえば、操作用画像３２０，３４０とともに（あるいは、操作用画像３４０の準備依頼（生成依頼）とともに）、当該決定内容がＭＦＰ１０から携帯端末５０に送信されてもよい。
【０１６１】
また、上記各実施形態等においては、ステップＳ１１にて２つの画像３２０，３４０が操作用画像として特定された場合について主に例示されている。仮に、ステップＳ１１にて単一の画像のみが操作用画像として特定された場合には、当該単一の画像を携帯端末５０の一の表示部（タッチパネル７５等）に表示すべき旨が決定されればよい。
【０１６２】
また、３つ以上の画像がステップＳ１１にて操作用画像として特定される場合において、携帯端末５０の表示部の個数が３以上であると認識されるときには、各表示対象画像をそれぞれ個別の表示部で表示すべき旨が決定されるようにしてもよい。たとえば、３つの画像３２０ａ，３４０ａ，３４０ｄが操作用画像として特定される場合において、３つの画像３２０ａ，３４０ａ，３４０ｄを携帯端末５０の３つの表示部に個別に表示すべき旨が決定されるようにしてもよい。換言すれば、２つの画像３２０ａ，３４０ａを携帯端末５０の２つの表示部に個別に表示すべき旨と他の１つの画像３４０ｄをさらに別の表示部に表示すべき旨とが決定されるようにしてもよい。
【０１６３】
あるいは、３つ以上の画像がステップＳ１１にて操作用画像として特定される場合において、携帯端末５０の表示部の個数が３以上であると認識されるときであっても、第３の表示部を用いずに２つの表示部（第１および第２の表示部）のみを用いて表示対象画像を表示すべき旨が決定されるようにしてもよい。たとえば、３つの画像３２０ａ，３４０ａ，３４０ｄが操作用画像として特定される場合において、２つの画像３２０ａ，３４０ａを携帯端末５０の２つの表示部に個別に表示すべき旨と残余の警告画像３４０ｄを当該２つの表示部のうちの一方に表示すべき旨とが決定されるようにしてもよい。
【０１６４】
また、上記第１実施形態等等においては、ＭＦＰ１０は、携帯端末５０における表示部の個数を通信によって取得しているが、これに限定されない。たとえば、ＭＦＰ１０は、その格納部５に各携帯端末５０の表示部の個数の情報を予め格納しておき、当該格納部５から当該情報を抽出することによって各携帯端末５０の表示部の個数を取得するようにしてもよい。
【符号の説明】
【０１６５】
１  画像形成システム
１０  ＭＦＰ（画像形成装置）
５０  携帯端末
７５，７７  タッチパネル
２００  （ＭＦＰ１０に表示される）画像
２１０  ハードウエアキー
３００  （携帯端末５０に表示される）画像
３２０，３４０  操作用画像
３４１〜３５０  ハードウエアキー画像
３６０  合成画像
３７０  テンプレート画像
【図１】
2016158104.tif 000003
【図２】
2016158104.tif 000004
【図３】
2016158104.tif 000005
【図４】
2016158104.tif 000006
【図５】
2016158104.tif 000007
【図６】
2016158104.tif 000008
【図７】
2016158104.tif 000009
【図８】
2016158104.tif 000010
【図９】
2016158104.tif 000011
【図１０】
2016158104.tif 000012
【図１１】
2016158104.tif 000013
【図１２】
2016158104.tif 000014
【図１３】
2016158104.tif 000015
【図１４】
2016158104.tif 000016
【図１５】
2016158104.tif 000017
【図１６】
2016158104.tif 000018
【図１７】
2016158104.tif 000019
【図１８】
2016158104.tif 000020
【図１９】
2016158104.tif 000021
【図２０】
2016158104.tif 000022
【図２１】
2016158104.tif 000023
【図２２】
2016158104.tif 000024
【図２３】
2016158104.tif 000025
【図２４】
2016158104.tif 000026
【図２５】
2016158104.tif 000027
【図２６】
2016158104.tif 000028
【図２７】
2016158104.tif 000029
【図２８】
2016158104.tif 000030
【図２９】
2016158104.tif 000031